(57)【要約】【課題】モータに正転指令または逆転指令の操作を与えるだけで低／高速切換を行うことができる新規の低高速切換用ギヤ装置を提供する。【解決手段】正逆回転型モータで作動する低高速切換用ギヤ装置であって、当該正逆回転型モータにより正回転／逆回転する駆動軸に回転不能に固定された駆動ギヤと、駆動ギヤに噛合した状態で配装された低速側第１伝達ギヤおよびアイドラギヤと、低速側第１伝達ギヤに低速側ワンウエイ・ベアリングおよび低速側中心軸を介して支承された低速側第２伝達ギヤと、アイドラギヤに噛合した状態で配装された高速側第１伝達ギヤと、高速側第１伝達ギヤに高速側ワンウエイ・ベアリングおよび高速側中心軸を介して支承された高速側第２伝達ギヤと、従動軸に回転不能の状態および上記低速側第２伝達ギヤおよび高速側第２伝達ギヤに噛合した状態として固着された従動ギヤと、をもつものである。【選択図】　　　　図１
2004036774.tif 000002
【特許請求の範囲】
【請求項１】
正逆回転型モータで作動する低高速切換用ギヤ装置であって、当該正逆回転型モータにより正回転／逆回転する駆動軸に回転不能に固定された駆動ギヤと、駆動ギヤに噛合した状態で配装された低速側第１伝達ギヤおよびアイドラギヤと、低速側第１伝達ギヤに低速側ワンウエイ・ベアリングおよび低速側中心軸を介して支承された低速側第２伝達ギヤと、アイドラギヤに噛合した状態で配装された高速側第１伝達ギヤと、高速側第１伝達ギヤに高速側ワンウエイ・ベアリングおよび高速側中心軸を介して支承された高速側第２伝達ギヤと、従動軸に回転不能の状態および上記低速側第２伝達ギヤおよび高速側第２伝達ギヤに噛合した状態として固着された従動ギヤと、をもつことを特徴とする低高速切換用ギヤ装置。
【発明の詳細な説明】
【０００１】
【発明が属する技術分野】
本発明は、正逆回転型モータで作動する低高速切換用ギヤ装置に関し、具体的には洗浄ブラシ／研磨ブラシを回転させる形式の床洗浄機、床磨き機等床面用回転ブラシ装置（所謂ポリッシャ−）に組み込んで使用する低高速切換用ギヤ装置に関するものである。
【０００２】
【従来の技術】
従来知られている、回転ブラシ装置の低高速切換は、その大半がモータの極数変換、電圧切換、ギヤ・チェンジにより行うようにされたものであった。
【０００３】
【発明が解決しようとする課題】
上記従来の技術において述べた回転ブラシ装置の低高速切換用装置は、回転ブラシの回転数をたとえば２倍にしたり、２分の１に落としたりする等の場合には変換レバーの操作が必要であって使い辛い面があるのみならず使用されるモータは割りに高い単価の低速・高速両用のものが必要でコストの面においても好ましくなく、また極数変換器、電圧変換器や比較的複雑な構造のクラッチ等が必要で電気的、機械的に構成が複雑であって生産性が悪い等の欠点があった。
【０００４】
本発明は、モータに正転指令または逆転指令の操作を与えるだけで低／高速切換を行うことができる、低速にするほどトルクの大きくなる新規の低高速切換用ギヤ装置を提供することを目的とするものである。
【０００５】
【課題を解決するための手段】
上記目的を達成するために本発明にに係る低高速切換用ギヤ装置は、正逆回転型モータで作動する低高速切換用ギヤ装置であって、当該正逆回転型モータにより正回転／逆回転する駆動軸に回転不能に固定された駆動ギヤと、駆動ギヤに噛合した状態で配装された低速側第１伝達ギヤおよびアイドラギヤと、低速側第１伝達ギヤに低速側ワンウエイ・ベアリングおよび低速側中心軸を介して支承された低速側第２伝達ギヤと、アイドラギヤに噛合した状態で配装された高速側第１伝達ギヤと、高速側第１伝達ギヤに高速側ワンウエイ・ベアリングおよび高速側中心軸を介して支承された高速側第２伝達ギヤと、従動軸に回転不能の状態および上記低速側第２伝達ギヤおよび高速側第２伝達ギヤに噛合した状態として固着された従動ギヤとをもつものである。
【０００６】
【実施例】
図に示す実施例は、駆動軸１に駆動ギヤ２を回転不能に固着し、この駆動用駆動ギヤ２のまわりに大径低速側第１伝達ギヤ３と当該低速側第１伝達ギヤ３に低速側ワンウエイ・ベアリング４および低速側中心軸５を介して支承された小径低速側第２伝達ギヤ６とよりなる低速側ギヤ群７およびアイドラギヤ８を、低速側第１伝達ギヤ３およびアイドラギヤ８が駆動ギヤ２に噛合した状態として配装する。
【０００７】
更に、上記アイドラギヤ８のまわりに大径高速側第１伝達ギヤ１０と当該大径高速側第１伝達ギヤ１０に高速側ワンウエイ・ベアリング１１および高速側中心軸１２を介して支承された小径高速側第２伝達ギヤ１３とよりなる高速側第１伝達ギヤ１４を、高速側第１伝達ギヤ１０がアイドラギヤ８に噛合した状態として配装する。
【０００８】
また、従動軸１６に従動ギヤ１７を回転不能の状態および当該従動ギヤ１７が上記低速側第２伝達ギヤ６および高速側第２伝達ギヤ１３に噛合した状態として固着することによって構成した低高速切換用ギヤ装置１８である。
【０００９】
本発明に係る低高速切換用ギヤ装置１８は、これを台部１９の上に上記従動軸１６が同台部１９の下面に貫出した状態として固定すると共に従動軸１６の下端に洗浄／研磨用回転ブラシ２０を取付け、また上記低高速切換用ギヤ装置１８の上に正逆回転型モータ２１を固定して当該モータ２１の回転軸を上記駆動軸１としたものである。
【００１０】
尚、図中符号２２は起立状態に維持したり倒し状態に維持したりできる構成とされた操作ハンドル、２３は使用時には着床させないで場所替え時に着床させて用いるようにされた移動用車輪を示す。
【００１１】
上記ワンウエイ・ベアリングは一方だけに伝動する接手のことであって、当該ワンウエイ・ベアリングに代えて、シェル形ローラクラッチ、ワンウエイ・クラッチ等を利用することができる。
【００１２】
【作用】
上記実施例は、低速側第１伝達ギヤ３と低速側第２伝達ギヤ６がワンウエイ・ベアリング４の係合により連結された時には高速側第１伝達ギヤ１０と高速側第２伝達ギヤ１３がワンウエイ・ベアリング１１の離脱により連結されていない状態となり、逆に高速側第１伝達ギヤ１０と高速側第２伝達ギヤ１３がワンウエイ・ベアリング１１の係合により連結された時には低速側第１伝達ギヤ３と低速側第２伝達ギヤ６がワンウエイ・ベアリング４の離脱により連結されていない状態となるようになっているものである。
【００１３】
そして、上記実施例は、モータ２１が正方向（図１において時計の針の回転と反対の方向）に回転する時には、従動ギヤ１７が正方向に９分の１に減速されて低速回転し、また同モータ２１が逆方向に回転する時には従動ギヤ１７が正方向に６分の１に減速されて高速回転するようにされたものである。
【００１４】
【発明の効果】
上記作用において述べたことから明らかであるようにモータが正回転のときでも逆回転のときでも従動ギヤは常に同じ方向に回転するものであり、しかもその回転数はモータの逆回転、正回転切換によってたとえば高速状態になったり半分の低速状態になったりするものである。本発明低高速切換用ギヤ装置は、従来のもののようなレバー操作をいらなくし、また正逆回転型モータによる実施を可能とし、更に極数変換器、入力電圧変換器や複雑な構造のクラッチ等をいらなくするものであって、モータに正転指令または逆転指令の操作を与えるだけで使用できる回転ブラシ装置等を提供するのに極めて好都合なものである。
【図面の簡単な説明】
【図１】要部の構造説明図である。
【図２】使用の状態を示す一部切截側面図である。
【符号の説明】
１　駆動軸
２　駆動ギヤ
３　低速側第１伝達ギヤ
４　ワンウエイ・ベアリング
５　低速側中心軸
６　低速側第２伝達ギヤ
７　低速側ギヤ群
８　アイドラギヤ
１０　高速側第１伝達ギヤ
１１　ワンウエイ・ベアリング
１２　高速側中心軸
１３　高速側第２伝達ギヤ
１４　高速側ギヤ群
１６　従動軸
１７　従動ギヤ
１８　低高速切換用ギヤ装置
１９　台部
２０　回転ブラシ
２１　モータ
２２　ハンドル
２３　移動用車輪
【図１】
2004036774.tif 000003
【図２】
2004036774.tif 000004